(57)【要約】  使用者が追加の天然の人毛の房を使用者の天然の毛髪に付加することを可能にするヘアエクステンション器具である。前記ヘアエクステンション器具は、頭部を取り巻くために円形又は長円形の形状に形成されたフィラメントを含む。ヘア横編みレングスは、フィラメントの弓形のレングスに沿ってフィラメントに装着される。器具が頭部上に位置させられたときに、ヘア横編みレングスの毛髪の房は使用者の側方及び後方に向かって下方に伸びる。フィラメントの下方に保持される天然の毛髪は上方及び前方に引っ張られ、その後フィラメントの上において後方に引っ張られ、使用者の天然の毛髪と追加の毛髪の房が渾然一体となる。
2008528823.tif 000002
【特許請求の範囲】
【請求項１】
使用者の頭部への装着のためのヘアエクステンション器具であって、
ａ）弓形の周辺部を有するフィラメントと、
ｂ）前記フィラメントの弓形の長さの少なくとも一部に沿って前記フィラメントに近接する複数の毛髪の横編みレングスであって、前記毛髪の横編みレングスの間に前記フィラメントが挟まれる毛髪の横編みレングスと、
ｃ）縫われた部分を形成するために、前記毛髪の横編みレングスが撚り糸によりフィラメントに近接して選択的に縫われている、撚り糸
を備えた、ヘアエクステンション器具。
【請求項２】
前記複数の毛髪の横編みレングスのうちの少なくとも一つが、ヘアの幅に沿って一緒に縛られた独立した長さを備えている、請求項１に記載の使用者の頭部への装着のためのヘアエクステンション器具。
【請求項３】
前記複数の毛髪の横編みレングスが、グループ（天然の人毛、人工毛、所定の質感の毛髪の房、所定の長さの毛髪の房、所定の直径の毛髪の房及び色）のうちの少なくとも一つを備えている、請求項２に記載の使用者の頭部への装着のためのヘアエクステンション器具。
【請求項４】
前記フィラメントが耐久性を有する、請求項１に記載の使用者の頭部への装着のためのヘアエクステンション器具。
【請求項５】
前記フィラメントがグループ（ナイロン、ポリエチレン及びダクロン（Dacron））のうちの少なくとも一つを含む、請求項４に記載の使用者の頭部への装着のためのヘアエクステンション器具。
【請求項６】
前記フィラメントが少なくともグループ（長円形、楕円、円）のうちの一つの部分的形状として構成されている、請求項１に記載の使用者の頭部への装着のためのヘアエクステンション器具。
【請求項７】
前記縫われた部分が好適には前記毛髪の横編みレングスの上に、前記長さの４分の１から２分の１の間にて配置されている、請求項１に記載の使用者の頭部への装着のためのヘアエクステンション器具。
【請求項８】
前記縫われた毛髪の横編みレングスが機械により縫われている、請求項７に記載の使用者の頭部への装着のためのヘアエクステンション器具。
【請求項９】
接着剤をさらに備え、前記毛髪の横編みレングスが前記縫われた部分において互いに接着され、折り曲げられ、ループを形成するように再度縫われ、前記フィラメントを挟んでいる、請求項７に記載の使用者の頭部への装着のためのヘアエクステンション器具。
【請求項１０】
使用者の頭部への装着のためのヘアエクステンション器具を作成する方法であって、そのステップが、
ａ）複数の毛髪の房を設けることと、
ｂ）前記複数の毛髪の房を一緒に縫うことによりその横編みを形成することと、
ｃ）前記毛髪の横編みをフィラメントに付加すること
を含む方法。
【請求項１１】
前記ステップが、グループ（天然の人毛、人工毛、所定の質感の毛髪の房、所定の長さの毛髪の房、所定の直径の毛髪の房及び色）のうちの少なくとも一つからの特徴を有するように前記複数の毛髪の房を選択することをさらに含む、請求項１０に記載の使用者の頭部への装着のためのヘアエクステンション器具を作成する方法。
【請求項１２】
前記ステップが、前記フィラメントが耐久性を有すべきことを選択することをさらに含む、請求項１０に記載の使用者の頭部への装着のためのヘアエクステンション器具を作成する方法。
【請求項１３】
前記ステップが、グループ（ナイロン、ポリエチレン及びダクロン）のうちの少なくとも一つを含む材料を有する前記フィラメントを製造することをさらに含む、請求項１２に記載の使用者の頭部への装着のためのヘアエクステンション器具を作成する方法。
【請求項１４】
前記ステップが、少なくともグループ（長円形、楕円、円）のうちの一つの部分的形状として前記フィラメントを構成することをさらに含む、請求項１０に記載の使用者の頭部への装着のためのヘアエクステンション器具を作成する方法。
【請求項１５】
縫われた部分を形成するために、前記毛髪の横編みレングスを前記フィラメントに近接して撚り糸により選択的に縫うことをさらに含み、これにより前記フィラメントが前記毛髪の横編みレングスの間に挟まれる、請求項１０に記載の使用者の頭部への装着のためのヘアエクステンション器具を作成する方法。
【請求項１６】
前記毛髪の横編みレングスが機械により縫われている、請求項１５に記載の使用者の頭部への装着のためのヘアエクステンション器具。
【請求項１７】
フィラメントと複数の毛髪の横編みレングスを有するヘアエクステンション器具を使用者の頭部上に配置する方法であって、そのステップが、
ａ）付加された毛髪の横編みレングスを有するフィラメントの部分を使用者の頭部の頂上部分上に置き、前記フィラメントの残りは前記頭部のより低い部分上に配置されていることと、
ｂ）前記フィラメントが隠されるように、前記使用者の毛髪を前記フィラメントより上において上方に配置すること
を含む方法。
【発明の詳細な説明】
【技術分野】
【０００１】
（関連出願）
本特許出願は、2005年1月31日出願の米国仮特許出願シリアル番号60/647,781の一部継続出願であり、これに基づく優先権がここに主張される。
【０００２】
（発明の分野）
本発明は、ヘアエクステンション器具に関し、特に、クリップがなくかつ粘着性でないヘアエクステンション器具に関する。
【背景技術】
【０００３】
人々、特に女性の最も魅力的な特徴の一つは、常にその髪であった。この事実は何千年もの間知られており、このことは特定の宗教上の教派の女性の髪を覆い又は切りさえする命令を説明する。しかしながら、そのような制約によって影響を受けないような女性にとって、長く飾り立てた人間の髪は改善された外見及び自尊心をもたらす価値あるものである。不幸にも、年齢、病気又は遺伝子により、全ての人が自然な髪の完全な補完を有するほど幸運ではない。これらの人々のために、付け毛及びかつらがしばしば対処法となっている。
【０００４】
より厚く又はより長い髪の外観を作り出すための多数の方法及び器具は、先行技術に存在する。個人の毛髪に追加の天然又は人工の毛髪を付加するときに、典型的な方法は、地毛に毛髪の房を糊で接着すること、又は耐久性のある接着剤を使用して地毛に追加の毛髪の房を接着させることのいずれかによって、個人の地毛に直接追加の毛髪を付けることを含む。個人の地毛に追加の毛髪の房を付けることは、付加時間を必要とする精細な過程である。加えて、時間が経つと、追加の毛髪の房はほどけ又は落ちる傾向がある。より多くの追加の髪が付けられなければならないか、追加の房が除去されなければならず、このことは個人の地毛に多大な損傷をたびたび引き起こす。
【０００５】
使用者のためにヘアエクステンションを提供する代替的な方法は、使用者の地毛に追加の毛髪の房を付加するためのヘアクリップを使用することによって、個人の地毛に付加することを含む。この方法は使用者にとってより長く又はより厚い髪の外観を与えるのに効果的である一方、ヘアクリップの追加は、使用中非常に扱いにくい傾向がある。使用者は、髪において、頭髪内のヘアクリップを有する自分の天然又は追加の毛髪を容易に洗うことができない。さらに、髪にヘアクリップを付加することは過度の時間を必要とする。
【０００６】
（関連技術の説明）
ヘアエクステンション器具は、ヘアクリップの使用、糊付け、接着又は他の追加の髪を天然の髪に付加する侵襲的な方法を必要としないものである。
【０００７】
１９２０年８月３１日にベロニカ・クラスマウスキス（Veronika Krasmauskis）に発行された米国特許番号1,351,427は、人工的な面又はイヤーパフを形成するための髪を飾る付属品を記述する。前記品物は、前記パフがスイッチから整列されるとき、前記パフが適切な位置に存在するように、頭部の前記面におけるスイッチを支持するための頭部上において交差させられたコード又は針金によって、共に結合される髪の二つのスイッチから構成される。
【０００８】
１９２２年８月８日にウィリアム・イー・ノーラン（William E. Nolan）に発行された米国特許番号1,424,845は、男性かつら及び永久にショートカット又は他の髪のセットされたスタイルを用いる他の髪を飾る器具と対比して、主に女性によって身に付けられている長髪タイプの変形又はかつらを記述する。
【０００９】
１９２６年１１月２３日にバーナード・エー・スターリング（Bernard A. Sterling）に発行された米国特許番号1,607,926は、ショートカットを隠し、ショートカットにされた髪にショートカットでない外観を与えるために、後頭部における使用のための髪を飾る付属品を記述する。前記構造は、適切な位置に確実かつ堅固に、かつ不測の位置ずれに備えて、付属品を固定するための手段により頭部上の適切な位置に固定され得る。
【００１０】
１９２７年８月９日にジェシー・オッペンハイム（Jesse Oppenheim）に発行された米国特許番号1,638,016は、装飾又は他の目的のために、着用者が任意の所望のスタイルにおいて飾られ又は操作され得る長髪を有している外観を呈するように、ショートカットにされた髪への付け毛の装着のために使用される髪を飾る器具及び装置を記述する。
【００１１】
１９５８年１２月２３日にプリンセス・ミッチェル（Princess Mitchell）に発行された米国特許番号2,865,380は、短髪の装飾が急速に長髪の装飾に転換され得る付け毛及び髪の準備の方法を記述する。
【００１２】
１９６６年１０月２５日にクリスティーナ・エム・ジェンキンズ（Christina M. Jenkins）に発行された米国特許番号3,280,826は、存在している本物の髪に固定することによって人間の頭部に付けるために適応した商業用又は人工の髪で構成された付け毛を記述する。
【００１３】
クリスティーナ・エム・ジェンキンズに発行された米国特許番号2,621,663は、基材とともに本物の髪の房に織り交ぜ、次にスイッチ、横編み又は同様の商業用の髪の付属品を前記基材に取り付けることによって、商業用の髪のための付属品の基盤を頭部に取り付けることを意図する。この方法により、前記商業用の髪は前記本物の髪に恒久的に取り付けられ、頭髪のない部分、薄い部分又は傷跡を覆うと共に、本物の髪により卓越した長さ及び厚さの外観を与えるように働く。
【００１４】
１９８６年７月１５日にユーバシャール（Ueberschaar）に発行された米国特許番号4,600,029は、円形のフィラメントの周りに調整可能に固定された独立した髪を有する付け毛を記述する。前記付け毛は次に使用者の頭部に取り付けられ、前記フィラメントは頭部上の髪の上層の下と下層の上に挟まれ、これにより、使用者の天然の髪は付け毛上の追加の髪と混合される。各々の髪は独立してフィラメントに付けられ、付け毛の組み立てにおいて退屈で非常に複雑な過程が必要とされる。加えて、各々の髪が独立してフィラメントに加えられるので、独立した髪の房の単一の列だけがフィラメントに取り付けられ得る。これにより、前記付け毛に取り付け可能な髪の量を制限する。このように、追加の髪の厚さは独立した髪の房の単一の列のレベルに制限される。
【発明の開示】
【発明が解決しようとする課題】
【００１５】
そのため、ヘアクリップ、糊又は接着剤の使用を回避又は排除するが、使用者の地毛に追加の髪を加える素早くかつ効率的な方法を提供するヘアエクステンション器具の必要性がある。さらに、使用者に提供される追加の髪が、厚さ及び長さの可変のレベルを有し得るような追加の髪の房の多数の層を提供する器具の必要性がある。
【００１６】
それゆえに本発明の目的は、地毛の層の間に挟まれ、かつ観察者に見えないものであり、かつ頭部に髪の追加のボリューム及び長さを供給する付け毛を提供することである。
【００１７】
本発明のさらなる目的は、円形のフィラメントが部分線を横切る場合に、実質上その交差において見えない手段を提供することである。
【００１８】
本発明の別の目的は、所望のヘアスタイル又は着用者の問題に依存して、髪がより少ない又はより多い量にて集合又は分配され得る手段を提供することである。
【００１９】
本発明のさらなる目的は、髪の追加の部分が所望され得るように固定され得る手段を提供することである。
【００２０】
本発明の別の目的は、「ポニーテール」又は同様のもの、又は「おだんご」として使用され得る記述されたタイプの付け毛を提供することである。
【００２１】
本発明のさらなる目的は、追加の付け毛が地毛の層の間に挟まれ得ることにより、地毛上の付加された付け毛の摩擦関係及び重なっている地毛の固定された根元が、調整された場所位置に付け毛を固定し、適切な位置に挟まれた付け毛を備えた髪が、前記付け毛の除去なしに泳いでいるように、洗髪され、濡らされ得る手段を提供することである。
【００２２】
本発明の別の目的は、所望されれば地毛を漂白又は染める必要なしに、髪における「縞にする（streaking）」効果が確実にされるために、付け毛上の対照的な陰影の髪が使用され得る手段を提供することである。
【課題を解決するための手段】
【００２３】
本発明によれば、ヘアエクステンションを使用者の天然の毛髪に接着すること、補助毛髪クリップを使用すること、又は器具を使用者の頭皮に接着することの必要なしに、使用者が追加の毛髪量の外観を作成することを可能にするヘアエクステンション器具が提供される。前記ヘアエクステンション器具は、使用者の頭部上にセットされ前記頭部を取り囲む円又は長円形の形状のセット内に形成された耐久性のあるフィラメントを含む。毛髪の横編みレングスは、最初にその大きい方の軸に実質的に垂直な方向に互いに縫われる。前記横編みレングスは、一般に前記横編みレングスの大きい方の軸に沿って前記フィラメント内の所定の位置に置くことにより、前記横編みレングスの縫われた位置に近接して前記フィラメントに貼られ、その後折り重ねられて、縫われ又は接着され、そしてその弓形の部分に近接して適切な位置に縫われる。
【００２４】
前記ヘアエクステンション器具は使用者の頭部上にセットされ、ヘア横編みレングス  を有するフィラメントの一部は使用者の頭部のより低い部分に位置させられて装着されて、頭部の側面や後方を覆う。ヘア横編みレングスにより覆われないフィラメントの部分は使用者の頭頂部に置かれ、使用者の耳の近くに向かって頭部を下方に伸びる。前記器具が適切に位置させられたとき、ヘア横編みレングスの追加の毛髪の房は、使用者の天然の毛髪を越えて下方に伸びる。
【００２５】
前記フィラメントの下方に保持される使用者の毛髪は、単に使用者の天然の毛髪を通って使用者の指を伝わせて当該毛髪を上方に引っ張ることにより、使用者によって前方に引っ張られ、その後フィラメントの上において後方に引っ張られる。そのため、使用者の天然の毛髪はフィラメントを覆い、フィラメントを離れて伸びている追加の毛髪の房と調和する。
【００２６】
前記フィラメントの強度とヘア横編みレングスの重みは、ヘアエクステンション器具が追加の固定手段の必要なく使用者の頭部上にセットされ維持されることを可能にする。前記ヘアエクステンション器具は、器具を使用者の頭部に安定させるためにクリップ又は接着剤の使用を必要としない。
【発明を実施するための最良の形態】
【００２７】
本発明の完全な理解は、添付の図面への参照により、その詳細な説明と関係して理解されたときに達成され得る。
【００２８】
本発明は、使用者の頭部に取り外し可能に装着され、使用者が追加の毛髪を有する外観を作り出すことを可能にするヘアエクステンション器具である。前記ヘアエクステンション器具は、ヘアエクステンションを天然の毛髪に接着すること、使用者の頭皮上に器具を接着すること、又は補助的なヘアクリップを使用して器具を装着することの必要なしに、使用者の頭部に付加するように設計されている。
【００２９】
図１は、ヘアエクステンション器具１０の平面透視図を示す。ヘアエクステンション器具１０は、複数のヘア横編みレングス１６が付加される耐久性を有するフィラメント１２を含む。ヘア横編みレングス１６は複数の追加の天然又は人工の毛髪の房１４から作られており、毛髪の房１４は、ヘア横編みレングス１６を作成するためにその幅に沿って縛られている。毛髪の房１４は、一般に、互いに平行した態様により配置されており、各房１４の長さの４分の１から２分の１において縛られることによりヘア横編みレングス１６を形成する。
【００３０】
フィラメント１２は円形又は長円形の形状に形成され、これによりフィラメント１２は使用者の頭部１３上に設置されて頭部１３を取り囲むことができる。ヘア横編みレングス１６は、円形のフィラメント１２の約半分の弓形の部分にそって付加される。ヘア横編みレングス１６は、フィラメント１２の外周の約半分に装着されるが、フィラメント１２の半分より多く、又は半分より少なく取り付けられ得る。代替の実施例においては、フィラメント１２を折り畳んでからヘア横編みレングス１６を互いに取り付けるために、適切な糊又は接着剤が使用され得ることも理解されるべきである。
【００３１】
ヘア横編みレングス１６は自然な人間の毛髪の房１４から作られており、人間の毛髪の房１４は好適には天然であるが、使用者の天然の髪を補うのに適した変化する長さ、色、直径及び質感の合成の髪であり得る。フィラメント１２は、釣り糸を含むがこれに限られないナイロン、ポリエチレン、ダクロン（Dacron）又は任意の他のタイプの耐久性のある材質から作られ得る。
【００３２】
さて図２を参照して、フィラメント１２は使用者の天然の毛髪１５の頂上に設置され、使用者の頭部１３を取り囲む。円形のフィラメント１２は、ヘア横編みレングス１６が付加されたフィラメント１２の部分が頭部１３の下方の部分に置かれるように、頭部１３の上に置かれる。フィラメント１２の残りは、頭部１３の頭頂部に置かれる。ヘア横編みレングス１６の毛髪の房１４は、使用者の天然の毛髪１５を通って、使用者の後方及び側面に沿って下方に伸びる。
【００３３】
フィラメント１２の下方に保持されている使用者の毛髪１５は、フィラメント１２が見えないように、フィラメント１２より上に上方に引っ張られる。使用者は、一般に使用者の天然の毛髪１５を通って単に指を伝わせ、前記毛髪を上方に引っ張り、次にフィラメント１２より上において前記毛髪を後方に引っ張る。これにより、使用者の天然の毛髪１５はフィラメント１２を覆い、フィラメント１２から離れて伸びる追加の毛髪の房１４と混ざる。
【００３４】
フィラメント１２の強度及び堅度並びにヘア横編みレングス１６の重みは、ヘアエクステンション器具１０が、任意の追加の固定手段の必要なしに、使用者の頭部１３上に設置されて維持されることを可能にする。ヘアエクステンション器具１０は、使用者の頭部に器具１０を固定するためにクリップ又は接着剤の使用を必要としない。
【００３５】
さて図３ａ〜３ｃを参照して、複数のヘア横編みレングス１６は、参照符号１５として示されるように、毛髪の房１４の複数の層を単一の横編みレングス１６に結合させるために、房１４の４分の１から２分の１の長さにおいて一緒に縫われる（図３ａ）。横編みレングス１６が撚り糸２０により一緒に縫われると、次にレングス１６は一方がヘア横編み１４の凡そ４分の１と２分の１の間であって、他方が毛髪の房１４の残りであるように、開いて折り畳まれる。
【００３６】
さて図３ｂを参照して、フィラメント１２は、レングス１６の縫われた部分１５の頂点に置かれる。次に、レングス１６はフィラメント１２の上において折り畳まれ、フィラメント１２を挟み、最終的に撚り糸２０により縫われ、かつ／又は縫われて接着される。これにより、フィラメント１２はヘア横編みレングス１６の頂点である結合部分の間に維持される。ヘア横編みレングス１６は、好適な実施形態においては、フィラメント１２の外周の弓形の少なくとも半分の長さにおいて結合される。フィラメント１２にヘア横編みレングス１６を固定する一つの方法が述べられたが、ヘア横編みレングス１６をフィラメント１２の弓形部分の凡そ少なくとも半分に維持することと一致する任意の方法により、ヘア横編みレングス１６はフィラメントに縫われ得る。
【００３７】
その後ヘア横編みレングス１６は折り曲げられ（矢印２２、図３ａ）、再度撚り糸２０を介して一緒に縫われる。図３ｃに示されるように、最終的な器具１０は横編みレングス１６に付加されたフィラメント１２の弓形部分を有する。
【００３８】
特定の操作の要求と環境に適応するために変化させられた他の変形及び変更は、当業者によって明白であり、本発明は開示の目的のために選択された実施例に限定されて考えられない。また本発明は、本発明の真の精神及び範囲からの逸脱を構成しない全ての変更及び変形に及ぶ。
【００３９】
このように本発明を記述したが、特許証により保護されることが求められているものは、添付の特許請求の範囲において提示される。
【図面の簡単な説明】
【００４０】
【図１】本発明によるヘアエクステンション器具の平面図である。
【図２】使用者の毛髪が器具の上に置かれた本来の状態のヘアエクステンション器具の斜視図である。
【図３ａ】天然及び人工の毛髪を本発明のヘアエクステンション器具のフィラメントに付加する過程を示す。
【図３ｂ】天然及び人工の毛髪を本発明のヘアエクステンション器具のフィラメントに付加する過程を示す。
【図３ｃ】天然及び人工の毛髪を本発明のヘアエクステンション器具のフィラメントに付加する過程を示す。
【図１】
2008528823.tif 000003
【図２】
2008528823.tif 000004
【図３ａ】
2008528823.tif 000005
【図３ｂ】
2008528823.tif 000006
【図３ｃ】
2008528823.tif 000007
【国際調査報告】
2008528823.tif 000008